(57)【特許請求の範囲】
【請求項１】
筐体側面に設けられ、室内熱交換器から延びる冷媒配管を筐体外部へ導出するための冷媒配管導出口と、
この冷媒配管導出口を閉塞し、前記冷媒配管を押さえる配管カバーとを備えた空気調和装置の室内機において、
前記配管カバーは前記筐体に取り付けられる金属製の板材と、
この板材の前記筐体内部側に取り付けられる断熱部材とからなり、
前記板材と前記断熱部材とは係合により分離可能に一体化され、
前記板材に水平方向に延びる上下方向位置決め係合片及び断熱部材の側部が係合し垂直方向に延びる外れ防止係合片を設け、前記断熱部材に上下方向位置決め係合片に係合する上下方向位置決め係合凹部を設け、前記断熱部材をたわませながらスライドさせて前記板材と前記断熱部材を分離可能に一体化することを特徴とする空気調和装置の室内機。
【請求項２】
前記断熱部材に薄肉部を設け、前記断熱部材をたわみ易くすることを特徴とする請求項１に記載の空気調和装置の室内機。
【請求項３】
前記配管カバーに係止片を設け、前記筐体に前記係止片が係止する係止孔を設け、前記冷媒配管に外周を覆う断熱材を設け、前記配管カバーの前記筐体への取付時、前記断熱材が配管カバーを押圧する反発力により、前記係止片と前記係止孔の係止状態を保持することを特徴とする請求項１または２に記載の空気調和装置の室内機。
【発明の詳細な説明】
【技術分野】
【０００１】
本発明は空気調和装置の室内機に係り、特に冷媒配管導出口を閉塞し冷媒配管を押さえる配管カバーを改良した空気調和装置の室内機に関する。
【背景技術】
【０００２】
一般に天井埋め込み型の空気調和装置の室内機は、板金製の筐体とこの筐体の内面に組み込まれる断熱材から構成され、被空調室の天井裏空間に取り付け固定される。
【０００３】
この室内機本体には、熱交換器、送風機、電気部品箱等が収容されていて、熱交換器から延びる冷媒配管は、室内機本体の側面部に設けられた開口部である冷媒配管導出部から外部へ引き出される。
【０００４】
この冷媒配管導出部には配管カバーが取り付けられて開口部が塞がれるとともに、配管カバーにより冷媒配管が室内機本体に押さえつけられて固定されている。
【０００５】
従来の配管カバーは樹脂部材あるいは板金部材に断熱材を粘着材で貼付するか、板金部材を発泡スチロールに金型にセットして同時成形していた。このため、樹脂部材を用いる場合には金型が高価になって、室外機も高価になり、また、板金部材を用いる場合、冷媒配管周りのシール部を厚くするのが困難であり、さらに、板金部材と発泡スチロールの同時成形品や断熱材を貼付したものは、板金部材と発泡スチロールの分離が困難であり、リサイクルに適さないなどの問題があった。
【０００６】
なお、特許文献１には、配管カバー（配管抑え板）に関し、中心部に配置した強度部材である金属板の内外を断熱材で被覆し一体成形したものが装着された空気調和装置の室内機が開示されている。しかしながら、特許文献１に記載の配管カバーは、金属板とこの金属板を被覆した断熱材を分離することが困難であり、リサイクルが難しいという問題があった。
【特許文献１】特開２００１−７４２６４号公報
【発明の開示】
【発明が解決しようとする課題】
【０００７】
本発明は上述した事情を考慮してなされたもので、安価で、十分な断熱が可能で、板金部材と断熱材の分離が容易でリサイクルに適する配管カバーを備えた空気調和装置の室内機を提供することを目的とする。
【課題を解決するための手段】
【０００８】
上述した目的を達成するため、本発明に係る空気調和装置の室内機は、筐体側面に設けられ、室内熱交換器から延びる冷媒配管を筐体外部へ導出するための冷媒配管導出口と、この冷媒配管導出口を閉塞し、前記冷媒配管を押さえる配管カバーとを備えた空気調和装置の室内機において、前記配管カバーは前記筐体に取り付けられる金属製の板材と、この板材の前記筐体内部側に取り付けられる断熱部材とからなり、前記板材と前記断熱部材とは係合により分離可能に一体化され、前記板材に水平方向に延びる上下方向位置決め係合片及び断熱部材の側部が係合し垂直方向に延びる外れ防止係合片を設け、前記断熱部材に上下方向位置決め係合片に係合する上下方向位置決め係合凹部を設け、前記断熱部材をたわませながらスライドさせて前記板材と前記断熱部材を分離可能に一体化することを特徴とする。
【発明の効果】
【０００９】
本発明に係る空気調和装置の室内機によれば、安価で、十分な断熱が可能で、板金部材と断熱材の分離が容易でリサイクルに適する配管カバーを備えた空気調和装置の室内機を提供することができる。
【発明を実施するための最良の形態】
【００１０】
本発明の一実施形態に係る空気調和装置の室内機について図面を参照して説明する。
【００１１】
図１は本発明の一実施形態に係る空気調和装置の室内機を示す斜視図であり、図２は本発明の一実施形態に係る空気調和装置の室内機の天井パネルを除去して内部構造を示す斜視図である。
【００１２】
図１及び図２に示すように、本実施形態の空気調和装置の室内機１は、被空気室の天井裏空間に設置して使用するもので、筐体２を備える。
【００１３】
この筐体２には、その下面に吸込口３ａと吹出口３ｂが設けられた天井パネル３が着脱可能に取り付けられ、内部には熱交換器（図示せず）、送風機４が配置される。
【００１４】
筐体２の側面２ａには、室内熱交換器から延び外周に管用断熱部材５が巻かれた冷媒配管６を筐体２の外部へ取り出すための冷媒配管導出口７が設けられ、この冷媒配管導出口７の一側水平辺には、冷媒配管６の一部が収容される半円状の収容孔部２ｂが連設される。
【００１５】
冷媒配管導出口７は、冷媒配管６の導出後、配管カバー８によって閉塞される。
【００１６】
図３及び図４に示すように、配管カバー８は筐体２に取り付けられる金属製の板材９と、板材９の筐体２への取り付け時、板材９の筐体内部側に取り付けられる断熱部材１０とからなり、板材９と断熱部材１０は分離可能に一体化されている。
【００１７】
板材９は金属製で略長方形状の板状をなし、その中央より下部の位置には、水平方向かつ互い平行に延びる２個の上下方向位置決め係合片９ａが立ち上がって設けられ、上辺には差込固定爪部９ｂを挟むように２個の半円状の配管収容部９ｃが形成され、また、両側部には上方に向かった漸次幅広になる立上９ｄが形成され、この立上９ｄの上端近傍には内方に向かって延びる外れ防止係合片９ｅが設けられ、下辺には内方に延びるＬ字状の下部外れ防止係合爪９ｆが設けられる。また、下辺両側近傍には、外れ防止係合片９ｅと反対側（外方）に突出する仮掛係止片９ｇが設けられ、この仮掛係止片９ｇと同一側に折り返えされた折曲部９ｈには取付ねじ孔９ｉが設けられる。
【００１８】
また、断熱部材１０は発砲ポリスチロール製の板状で、板材９と同様の外形輪郭形状をなし、上辺部近傍域には柔軟性付与用の凹部１０ａ１を設けた肉厚部１０ａが形成され、この肉厚部１０ａには、板材９と断熱部材１０との一体化時、板材９の配管収容部９ｃに合致するような位置及び形状の配管収容部１０ｂが形成され、肉厚部１０ａの両側には外れ防止係合片９ｅに係合する係合段部１０ｃが形成され、さらに、中央より多少下部の部位には、上下方向位置決め係合片９ａと係合し、水平方向に延びる長方形状の上下方向位置決め係合凹部１０ｄが設けられ、下部には下部外れ防止係合爪９ｆに係合する係合切欠部１０ｅが設けられる。さらに、この上下方向位置決め係合凹部１０ｄの両側（短辺側）の中央部には薄肉部１０ｆが形成される。
【００１９】
図５及び図６に示すように、板材９と断熱部材１０の一体化は、断熱部材１０をたわませながら板材９に沿って、図中上向きの矢印のようにスライドさせて、断熱部材１０の両係合段部１０ｃを係合し、外れ防止係合片９ｅに係合させ、さらに、断熱部材１０を上下方向位置決め係合片９ａに係合させて行う。
【００２０】
この断熱部材１０の板材９への取り付け時、断熱部材１０には薄肉部１０ｆが形成されているので、比較的硬質な断熱部材であっても、断熱部材１０がたわみ易くなり、断熱部材１０の取り付けが容易になる。
【００２１】
図４に示すように、なお、断熱部材１０の表面に潤滑剤１１を塗布し、板材９と断熱部材１０の接触面に潤滑剤１１を介在させるのが好ましい。これにより、空気調和装置の運転時、板材９と断熱部材１０の温度変化による収縮、膨張に起因する摩擦音を防止することができる。
【００２２】
なお、板材９と断熱材１０の分離は、接着材等を使用していないため容易に行うことができる。
【００２３】
配管カバー８の筐体２への取り付けは、次のようにして行う。
【００２４】
図７乃至図９（図１及び図２とは天地逆に示している。）に示すように、熱交換器が組み込まれ、冷媒配管６が冷媒配管導出口７から導出され、さらに、冷媒配管６の一部（半分）が収容孔部２ｂに収容された状態において、配管カバー８を傾けて、仮掛係止片９ｇと仮掛係止孔２ｃの係止が行われないようにしながら配管カバー８を降下させ、差込固定爪部９ｂを筐体２の側面２ａに内部に突出して設けた凹状の差込固定爪部受２ｄに挿入して、収容孔部２ｂに半分収容された状態の冷媒配管６を、配管収容部９ｃ、１０ｂで冷媒配管６を完全に収容し、仮掛係止片９ｇを筐体２の下部に設けた仮掛係止孔２ｃに仮掛けする。このとき、配管カバー８は冷媒配管６の外周に巻かれた管用断熱部材５を押圧する状態になるため、配管カバー８は管用断熱部材５の弾性によるスプリングバックにより図中上方に押圧され、仮掛係止片９ｇと仮掛係止孔２ｃの係止は保持され、この状態で取付ねじ孔９ｉと、筐体２の折曲部２ｅに設けた取付ねじ孔２ｆを貫通する取付ねじ１２を用いて、配管カバー８を筐体２に螺着する。
【００２５】
このような配管カバー８の取り付けにより、差込固定爪部受２ｄを設け、配管カバー８を傾けて差込固定爪部９ｂを差込固定爪部受２ｄに挿入するので、挿入が容易になり、管用断熱部材５のスプリングバックを利用して仮掛係止片９ｇと仮掛係止孔２ｃの係止を保持するので、配管カバー８の取り付けが容易になる。
【００２６】
本実施形態の空気調和装置の室内機は、従来のように板金部材に断熱部材を粘着材で貼付したり、板金部材を発泡スチロールに同時成形した配管カバーを用いるものとは異なり、上記のような構造を有する断熱部材を備え、この断熱部材は板材と前記断熱部材を係合により分離可能に一体化されるので、組み立てが容易で、安価に製造することができ、分離が容易でリサイクルに適する。
【００２７】
また、筐体への取り付けが容易で、十分な強度が得られるとともに、断熱部材の肉厚部により冷媒配管周りのシールに必要な厚みや形状を容易に作ることができ、筐体内部の熱を筐体外に伝わるのを防止できる。
【００２８】
本実施形態の空気調和装置の室内機によれば、安価で、十分な断熱が可能で、板金部材と断熱材の分離が容易でリサイクルに適する配管カバーを備えた空気調和装置の室内機が実現される。
【図面の簡単な説明】
【００２９】
【図１】本発明の一実施形態に係る空気調和装置の室内機の斜視図。
【図２】本発明の一実施形態に係る空気調和装置の室内機の天井パネルを除去し、配管カバーの取り付け状態を示す斜視図。
【図３】本発明の一実施形態に係る空気調和装置の室内機に用いる配管カバーを分離して示す斜視図。
【図４】本発明の一実施形態に係る空気調和装置の室内機に用いる配管カバーを分離して示す斜視図。
【図５】本発明の一実施形態に係る空気調和装置の室内機に用いる配管カバーの平面図。
【図６】図５のＡ−Ａ線に沿う縦断面図。
【図７】本発明の一実施形態に係る空気調和装置の室内機の配管カバーの取り付け状態を示す側面図。
【図８】本発明の一実施形態に係る空気調和装置の室内機の側面図。
【図９】図８のＢ−Ｂ線に沿う縦断面図。
【符号の説明】
【００３０】
１…空気調和装置の室内機、２…筐体、２ａ…側面、３…天井パネル、４…送風機、５…管用断熱部材、６…冷媒配管、７…冷媒配管導出口、８…配管カバー、９…板材、１０…断熱部材。
【図１】
0004800834.tif 000002
【図２】
0004800834.tif 000003
【図３】
0004800834.tif 000004
【図４】
0004800834.tif 000005
【図５】
0004800834.tif 000006
【図６】
0004800834.tif 000007
【図７】
0004800834.tif 000008
【図８】
0004800834.tif 000009
【図９】
0004800834.tif 000010